(57)【要約】【課題】月刊誌などの雑誌の付録や、宣伝用の配布品などに適用する小物ホルダ組立て用キットを提供する。【解決手段】小物ホルダ部１１および余白部１２からなる平板状の小物ホルダ組立て用キット１０である。小物ホルダ部１１と余白部１２の境目に設けた切り込み線１４と、小物ホルダ部１１と余白部１２とを互いに接続すると共に切り込み線１４より小物ホルダ部側に若干入り込んだ部分に設けた複数の接続部１５とを有する。小物ホルダ部１１を、底部２１と、該底部の背面側に設けた背面部２２と、上記底部の前面側に設けた前面部２３と、該前面部の両側に設けた側面部２４と、該側面部の自由端に設けた接着テープ取付け部２５と、上記背面部および側面部を連結する連結部１６とから構成する。【選択図】　　　　図１
2004051172.tif 000002
【特許請求の範囲】
【請求項１】
小物ホルダ部および余白部からなる平板状の小物ホルダ組立て用キットであって、上記小物ホルダ部と余白部の境目に設けた切り込み線と、上記小物ホルダ部と余白部とを互いに接続するとともに上記切り込み線より小物ホルダ部側に若干入り込んだ部分に設けた複数の接続部とを有し、かつ、上記小物ホルダ部を、底部と、該底部の背面側に設けた背面部と、上記底部の前面側に設けた前面部と、該前面部の両側に設けた側面部と、該側面部の自由端に設けた接着テープ取付け部と、上記背面部および側面部を連結する連結部とから構成してなる小物ホルダ組立て用キット。
【請求項２】
余白部に切り込み線で仕切られた吊り具部を設けると共に、上記切り込み線より吊り具部側に若干入り込んだ部分に上記余白部と吊り具部とを互いに接続する複数の接続部を設けた請求項１記載の小物ホルダ組立て用キット。
【請求項３】
背面部に吊り具取付け用切り込み部を設けた請求項１記載の小物ホルダ組立て用キット。
【請求項４】
小物ホルダ部と吊り具部のうち、少なくとも小物ホルダ部にテレビ番組や漫画本のキャラクタなどの各種の図柄を設けた請求項１記載の小物ホルダ組立て用キット。
【請求項５】
底部と、該底部の背面側に設けた背面部と、上記底部の前面側に設けた前面部と、該前面部の両側に設けた側面部と、該側面部の自由端に設けた接着テープ取付け部と、上記背面部および側面部を連結する連結部とからなる小物ホルダ。
【請求項６】
背面部に吊り具取付け用切り込み部を設けた請求項５記載の小物ホルダ。
【請求項７】
背面部の吊り具取付け用切り込み部に吊り具を取り付けた請求項５記載の小物ホルダ。
【請求項８】
小物ホルダ部と吊り具のうち、少なくとも小物ホルダ部にテレビ番組や漫画本のキャラクタなどの各種の図柄を設けた請求項５、６または７記載の小物ホルダ。
【発明の詳細な説明】
【０００１】
【発明の属する技術分野】
この発明は、月刊誌や週刊誌などの雑誌の付録や、宣伝用の配布品などに適用するための小物ホルダ組立て用キット、ならびに携帯電話などの細長い物品の展示や、一時的な保管などに適用する小物ホルダに関するものである。
【０００２】
【従来の技術】
月刊誌や週刊誌などの雑誌の付録や、宣伝用の配布品などには、いろいろな物があるが、昨今、自分で組み立てられ、かつ、実用に使用できる物が望まれている。
【０００３】
一方、一般家庭、特に、乗用車などの車両では、携帯電話などの細長い物を立て掛けるためのホルダが求められている。
【０００４】
【発明が解決しようとする課題】
本発明は、このような要望に応えるために発明したものであり、月刊誌や週刊誌などの雑誌の付録や、宣伝用の配布品などに適用するための小物ホルダ組立て用キットを提供することを目的とするものである。また、本発明は、携帯電話などの細長い物品の展示や、一時的な保管などに適用する小物ホルダを提供することを目的とするものである。
【０００５】
【課題を解決するための手段】
上記目的を達成するため、本発明は、次のように構成されている。すなわち、（１）　小物ホルダ部および余白部からなる平板状の小物ホルダ組立て用キットであって、上記小物ホルダ部と余白部の境目に設けた切り込み線と、上記小物ホルダ部と余白部とを互いに接続するとともに上記切り込み線より小物ホルダ部側に若干入り込んだ部分に設けた複数の接続部とを有し、かつ、上記小物ホルダ部を、底部と、該底部の背面側に設けた背面部と、上記底部の前面側に設けた前面部と、該前面部の両側に設けた側面部と、該側面部の自由端に設けた接着テープ取付け部と、上記背面部および側面部を連結する連結部とから構成してなる小物ホルダ組立て用キット。
【０００６】
（２）　余白部に切り込み線で仕切られた吊り具部を設けると共に、上記切り込み線より吊り具部側に若干入り込んだ部分に上記余白部と吊り具部とを互いに接続する複数の接続部を設けた（１）記載の小物ホルダ組立て用キット。
【０００７】
（３）　背面部に吊り具取付け用切り込み部を設けた（１）記載の小物ホルダ組立て用キット。
【０００８】
（４）　小物ホルダ部と吊り具のうち、少なくとも小物ホルダ部にテレビ番組や漫画本のキャラクタなどの各種の図柄を設けた（１）記載の小物ホルダ組立て用キット。
【０００９】
（５）　底部と、該底部の背面側に設けた背面部と、上記底部の前面側に設けた前面部と、該前面部の両側に設けた側面部と、該側面部の自由端に設けた接着テープ取付け部と、上記背面部および側面部を連結する連結部とからなる小物ホルダ。
【００１０】
（６）背面部に吊り具取付け用切り込み部を設けた（５）記載の小物ホルダ。
【００１１】
（７）　背面部の吊り具取付け用切り込み部に吊り具を取り付けた（５）記載の小物ホルダ。
【００１２】
（８）　小物ホルダ部と吊り具のうち、少なくとも小物ホルダ部にテレビ番組や漫画本のキャラクタなどの各種の図柄を設けた（５）、（６）または（７）記載の小物ホルダ。
【００１３】
【発明の実施の形態】
以下、本発明の実施の形態を図面を用いて説明するが、この実施の形態では、装飾などを施さない基本的な小物ホルダ組立て用キットを例に採る。
【００１４】
図１において、１０は、平板状の小物ホルダ組立て用キットであり、ポリプロピレン、ポリエステルなどの合成樹脂製のシートや厚紙などの多少腰のあるシートで形成されている。合成樹脂製シートの場合、透明、半透明、不透明などなどのシートを用いることができる。また、無色でもよいが、任意の色彩や模様や人気のキャラクタなどを施したものでもよい。また、厚紙の場合は、無色でもよいが、任意の色彩や模様や人気のキャラクタなどを施したものでもよい。
【００１５】
この小物ホルダ組立て用キット１０は、小物ホルダ部１１と、余白部１２と、吊り具部１３の三つの部分で構成されている。そして、小物ホルダ部１１と余白部１２の境目、ならびに吊り具部１３と余白部１２の境目には、実線で示す切り込み線１４や、複数個の接続部１５が設けられているので、接続部１５をカッターナイフや指先などで切断または破断することにより余白部１２から小物ホルダ部１１および吊り具部１３を簡単に分離することができる。接続部１５は、切り込み線１４より小物ホルダ部１１側に、また、切り込み線１４より吊り具部１３側に、若干、入り込んだ個所または部分に設けられている。換言すれば、接続部１５は、円弧またはＵ字形に形成されているので、分離後に接続部１５の部分で怪我する恐れがなく、安全である。
【００１６】
次に、小物ホルダ部の構造について説明すると、小物ホルダ部１１は、底部２１と、底部２１の背面側に設けた背面部２２と、底部２１の前面側に設けた前面部２３と、前面部２３の両側に設けた側面部２４と、側面部２４の自由端に設けた接着テープ取付け部２５と、背面部２２および側面部２４を連結する連結部２６とから構成されている。連結部２６は、背面部２２の両側に設けた耳部２７と、側面部２４に設けた第１のスリット部２８とからなり、耳部２７には、第１のスリット部２８の一方の縁に設けた舌片状のストッパ２９を挿入するための第２のスリット３０が設けられている。また、背面部２２には、吊り具１３ａを装着するための凸形の切り込み部３１が設けられている。
【００１７】
また、１点鎖線で示すように、底部２１と背面部２２間、底部２１と前面部２３、前面部２３と側面部２４間、ならびに側面部２４と接着テープ取付け部２５間に、それぞれ、折り目用の浅溝３２が設けられている。この折り目用浅溝３２は、通常、部片を折り曲げる側と反対側の面に施されているが、横断面Ｖ形の溝の場合には、部材を折り曲げる側の面に施しても差し支えがない。また、浅溝の代わりにミシン目を用いてもよい。
【００１８】
一方、吊り具部１３は、矩形状の係止部４１と、その一辺から伸びるベルト部４２で構成されている。そして、係止部４１の両側には、小物ホルダ部１１の切り込み部３１と係合する切欠き部４３を備えている。さらに、係止部４１とベルト部４２の境目に切欠き状の結合部４４を設けるとともに、ベルト部４２の先端部に切欠き状の結合部４５を設けている。これらの結合部４４，４５は、互いに反対側から切り込まれている。また、ベルト部４２には、折り目用のミシン目または浅溝３２が一定の間隔で設けられているが無くてもよい。
【００１９】
次に、小物ホルダの使用法について説明する。
（イ）　例えば、小物ホルダを乗用車のボトルホルダに取り付けて使用する場合について説明する。
【００２０】
それには、キット１０の余白部１２から切り離した小物ホルダ部１１を、図２に示すように組み立てて小物ホルダ１１ａとして使用するのであるが、それには、折り目用浅溝３２を利用して底部２１を前面部２３の後ろ側に折り曲げながら背面部２２の両側に設けられている耳部２７を側面部２４に設けられている第１のスリット部２８に差し込むとともに、第１のスリット部２０の縁に設けられている舌片状のストッパ２９を耳部２７に設けられている第２のスリット３０に差し込む。
【００２１】
次に、側面部２４の両側に設けられている接着テープ取付け部２５を折り曲げ用浅溝３２を利用して背面部２２の後ろ側に折り曲げる。そして、接着テープ取付け部２５に図示しない両面テープを取り付けた後、図３に示すように、両面テープを利用して乗用車のボトルホルダ５１の前面に取り付ける。
【００２２】
図３に示すように、ボトルホルダ５１の前面に小物ホルダ１１ａを両面テ−プなどを利用して取り付けると、携帯電話などの小物Ａを立て掛けるのに便利である。
【００２３】
（ロ）　次に、小物ホルダを乗用車のダストボックスに取り付けて使用する場合について説明する。
【００２４】
それには、キット１０の余白部１２から切り離した小物ホルダ部１１を、図２に示すように組み立てて小物ホルダ１１ａとして使用するのであるが、それには、折り目用浅溝３２を利用して底部２１を前面部２３の後ろ側に折り曲げながら背面部２２の両側に設けられている耳部２７を側面部２４に設けられている第１のスリット部２８に差し込むとともに、第１のスリット部２０の縁に設けられている舌片状のストッパ２９を耳部２７に設けられている第２のスリット３０に差し込む。
【００２５】
次に、側面部２４の外側に設けられている接着テープ取付け部２５を折り曲げ用浅溝３２を利用して外側に拡げる。次に、接着テープ取付け部２５に図示しない両面テープを取り付けた後、図５に示すように、両面テープを利用して乗用車のダストボックス５２の前面に取り付ける。
【００２６】
図５に示すように、ダストボックス５２の前面に小物ホルダ１１ａを両面テ−プなどを利用して取り付けると、携帯電話などの小物Ａを立て掛けるのに便利である。なお、接着テープ取付け部２５は、所望により、背面部２２の後ろ側に折り曲げても差し支えがない。
【００２７】
（ハ）　次に、小物ホルダを乗用車の空調機の空気吹き出し部に取り付けて使用する場合について説明する。
【００２８】
それには、キット１０の余白部１２から切り離した小物ホルダ部１１を、図２に示すように組み立てて小物ホルダ１１ａとして使用するのであるが、それには、折り目用浅溝３２を利用して底部２１を前面部２３の後ろ側に折り曲げながら背面部２２の両側に設けられている耳部２７を側面部２４に設けられている第１のスリット部２８に差し込むとともに、第１のスリット部２０の縁に設けられている舌片状のストッパ２９を耳部２７に設けられている第２のスリット３０に差し込む。
【００２９】
次に、側面部２４の外側に設けられている接着テープ取付け部２５を折り曲げ用浅溝３２を利用して背面部２２の後ろ側に折り曲げて接着テープ（図示せず）で固定した後、背面部２２の吊り具差し込み部３１に吊り具１３ａを装着する。そのとき、吊り具１３ａは、ベルト部４２を上記吊り具差し込み部３１に差し込んだ後、空気吹き出し口５３の横桟５４にベルト部４２を掛け回し、そして、ベルト先端の切欠き状結合部４５をベルト基部の切欠き状結合部４４に差し込んで固定する。
【００３０】
図７に示すように、空気吹き出し口５３に小物ホルダ１１ａを吊り具１３ａを利用して取り付けると、携帯電話などの小物Ａを立て掛けるのに便利である。
以上の説明では、装飾などを施さない基本的な小物ホルダ組立て用キットならびに小物ホルダについて説明したが、所望により、テレビ番組や漫画本のキャラクタなどの各種の図柄や絵柄などを印刷してもよい。
【００３１】
【発明の効果】
上記のように、本発明の小物ホルダ用キットは、小物ホルダ部および余白部からなる平板状の小物ホルダ組立て用キットであって、上記小物ホルダ部と余白部の境目に設けた切り込み線と、上記小物ホルダ部と余白部とを互いに接続するとともに上記切り込み線より小物ホルダ部側に若干入り込んだ部分に設けた複数の接続部とを有し、かつ、上記小物ホルダ部を、底部と、該底部の背面側に設けた背面部と、上記底部の前面側に設けた前面部と、該前面部の両側に設けた側面部と、該側面部の自由端に設けた接着テープ取付け部と、上記背面部および側面部を連結する連結部とから構成されているので、月刊誌や週刊誌などの雑誌の付録や、宣伝用の配布品などに広く適用することができる。また、自分で組み立てられ、かつ、携帯電話などの小物を立て掛けておけるので、非常に便利である。
【００３２】
一方、本発明の小物ホルダは、基本的に、底部と、該底部の背面側に設けた背面部と、上記底部の前面側に設けた前面部と、該前面部の両側に設けた側面部と、該側面部の自由端に設けた接着テープ取付け部と、上記背面部および側面部を連結する連結部とから構成されているので、一般家庭、特に、乗用車などの車両のいろいろな場所に取り付けることができるとともに、携帯電話などの小物を立て掛けておけるので、非常に便利である。
【図面の簡単な説明】
【図１】本発明に係る小物ホルダ組み立て用キットの平面図である。
【図２】本発明に係る小物ホルダの斜視図である。
【図３】図２の小物ホルダの使用説明図である。
【図４】本発明に係る小物ホルダの斜視図である。
【図５】図４の小物ホルダの使用説明図である。
【図６】本発明に係る小物ホルダの斜視図である。
【図７】図６の小物ホルダの使用説明図である。
【符号の説明】
１０　小物ホルダ用キット
１１　小物ホルダ部
１２　余白部
１４　切り込み線
１５　接続部
２１　底部
２２　背面部
２３　前面部
２４　側面部
２５　接着テープ取付け部
２６　連結部
【図１】
2004051172.tif 000003
【図２】
2004051172.tif 000004
【図３】
2004051172.tif 000005
【図４】
2004051172.tif 000006
【図５】
2004051172.tif 000007
【図６】
2004051172.tif 000008
【図７】
2004051172.tif 000009